(57)【要約】【課題】本発明は、撤去や設置場所の移動も容易な、しかも土や肥料の漏れも少なく、かつ形状や大きさを任意に設定できる菜園や花壇や園芸用プランターを、軽くて取扱が簡単な部材によって提供することを目的としている。【解決手段】本発明は、複数本の枠支柱体を、菜園や花壇あるいは園芸用プランターの囲い部分になるように、すなわち菜園や花壇のフェンスもしくはプランターの側壁になるように、通水孔を有する帯状枠体の面上に横方向に並べて屈曲形成可能に固定させるとともに、さらに該帯状枠体に菜園や花壇あるいは園芸用プランターの底部にできるように防水・防根シートを取付けたことを特徴とする簡易園芸用プランター部材である。【選択図】              図２
2004344159.tif 000002
【特許請求の範囲】
【請求項１】
複数本の枠支柱体を、菜園や花壇あるいは園芸用プランターの囲い部分になるように通水孔を有する帯状枠体の面上に横方向に並べて屈曲形成可能に固定させるとともに、さらに該帯状枠体に菜園や花壇あるいは園芸用プランターの底部にできるように防水・防根シートを取付けたことを特徴とする簡易園芸用プランター部材
【請求項２】
請求項１の発明において、複数の枠支柱体を帯状枠体に固定するに際して、各枠支柱体の横方向に繋結したことを特徴とする簡易園芸用プランター部材
【発明の詳細な説明】
【０００１】
【発明の属する技術分野】
本発明は園芸用プランター部材に関し、詳しくは任意形状で、さまざまな大きさの菜園や花壇や園芸用プランターに組み立てることができる簡易園芸用プランター部材に関する。
【０００２】
【従来の技術】
従来、一般家庭の庭などで野菜や観賞用草花を栽培して楽しむときは、レンガやブロックなどで所定の場所を囲った菜園や花壇で行うことが多い。
また、ビルの屋上やマンションのベランダなどでは植木鉢や樹脂製のプランターを用いて野菜や観賞用草花を栽培するのが一般的である。
【０００３】
しかし、一般家庭の庭、ビルの屋上やマンションのベランダなどでは、設置部分が限定されている場合が多いから、設置場所の形状や大きさに合せて菜園や花壇やプランターなどを設けることが簡単ではなかった。
たとえば、一般家庭の庭にレンガやブロックで囲い花壇を造る場合においては、形状や大きさは比較的自由に選択できるものの重量のあるブロックやレンガを所定の形状に並べるのは簡単ではなく、ビルの屋上やマンションのベランダなどにレンガやブロックで設けるとなると簡単に撤去することも、場所替えをすることもできないし、それに土や肥料が花壇の外へ多く漏れだす問題もあつた。
また、市販されている樹脂製のプランターでは、大きさや形状が限定されていて限られた広さに好みにあった任意形状の菜園や花壇を造ることができない欠点がある。
【０００４】
【発明が解決しようとする課題】
本発明は、上記の問題点に鑑みて提案されたものである。
すなわち、撤去や設置場所の移動も容易な、しかも土や肥料の漏れも少なく、かつ形状や大きさを任意に設定できる菜園や花壇や園芸用プランターを、軽くて取扱が簡単な部材によって提供することを目的としている。
【０００５】
【課題を解決するための手段】
本発明は、複数本の枠支柱体を、菜園や花壇あるいは園芸用プランターの囲い部分になるように、すなわち菜園や花壇のフェンスもしくはプランターの側壁になるように、通水孔を有する帯状枠体の面上に横方向に並べて屈曲形成可能に固定させるとともに、さらに該帯状枠体に菜園や花壇あるいは園芸用プランターの底部にできるように防水・防根シートを取付けたことを特徴とする簡易園芸用プランター部材で、これを請求項１に提案した。
前記請求項１の発明において、複数の枠支柱体を帯状枠体に固定するに際して、各枠支柱体の横方向に互いに繋結したことを特徴とする簡易園芸用プランター部材を、請求項２に提案した。
【０００６】
【発明の実施の形態】
本発明にかかる簡易園芸用プランター部材の実施形態を図１〜図１０に基づいて説明する。
図１は本発明にかかる簡易園芸用プランター部材を示す正面図である。
本発明部材においては、持ち運びの容易な適当重量の部材を１単位部材として取扱っている。
図２は本発明にかかる簡易園芸用プランター部材を示す平面図、図３は同右側面図、図４は同背面図をそれぞれ示している。
枠支柱体１は複数で、帯状枠体２とともに菜園や花壇のフェンス部分や園芸用プランターの側壁部分を構成している。
図１に示すように、帯状枠体２には、両端に耳部５を残して、長手方向に複数の枠支柱体１が横方向に並んだ状態で固定している。
耳部５は枠支柱体１を固定した帯状枠体２で花壇のフェンスやプランターの側壁を形成させるとき重ね合せる部分で、前記フェンスや側壁に隙間ができない効果があり、重ね合せ部分にマジックテープなどを付設させると合せ面をしっかりと接続させことができる。
耳部５は帯状枠体２の一部分を構成するもので、長手方向の両端にあっても、片端だけに設けてもよい。
そして、帯状枠体２の材料としては、任意形状の該フェンスや該側壁に屈曲形成可能で、花壇やプランターの水はけが保てれば、網状材を用いても、シート材に適宜複数の通水孔を設けたものを用いてもよい。
防水・防根シート３は、図３や図４に示したように帯状枠体２の幅方向の一端に取付けて、プランターの底部を構成する。
契合部材４は、複数の枠支柱体１を固定した帯状枠体２で、たとえば図８に示すような円形状の囲いを作るときに、枠支柱体１が外側にくるように帯状枠体２を湾曲させてその両端部に位置する２本の枠支柱体１を必要に応じて契合させる場合に用いるもので材料としては、紐やワイヤーでも、フックのような契合部材でもよい。
上記のように複数の枠支柱体１を固定した帯状枠体２で所要の形状に形成して菜園や花壇のフェンスや、園芸用プランターの側壁を形成とき、帯状枠体２の耳部５は互いに重なり合うことになるので、合せ部に隙間のできないフェンスや側壁が得られる。
【０００７】
本発明の簡易園芸用プランター部材では、持ち運びが容易な、適当な重さを目安に複数の枠支柱体１を帯状枠体２に取付けて１単位部材としているが、菜園や花壇のフェンス、あるいは園芸用プランターの側壁を形成するのに必要な最低限の本数、およそ２０本から４０本程度の枠支柱体１を帯状枠体２に固定して１単位部材としてもよい。
少し大きめに花壇やプランターを造るときには、上記１単位部材を複数連結させて花壇やプランターに組立てればよい。
また、上記の１単位部材の枠支柱体１を適当に減らすことによってフェンスや側壁の長さを適宜調整することも可能である。
【０００８】
枠支柱体１の材質は木材や竹でも、樹脂材、コンクリート材、鋼材、鋳鉄材でも、その他フェンスや側壁として従来から用いられているものでもよい。
枠支柱体１の横断面形状は、円が最も適しているが、半円や各種の角形状であってもよい。
一方、枠支柱体１を固定する帯状枠体２には屈曲形成可能で、通水孔を設けても支障のない程度の強度を保てる材料であればよい。
例えばメッシュの細かい金属製の網状材、ポリエチレン、ナイロンなど樹脂製の網状材、あるいは麻や綿のような布状の材料でもよく、または樹脂製のシート材に通水可能な孔を適当に明けたものを用いてもよい。
枠支柱体１を帯状枠体２に固定する手段は、鋲状の止め金具などで帯状枠体２を枠支柱体１に張付ける要領で行う。
この場合、各枠支柱体１同士は軽く接触させた状態にした方がフェンスあるいは側壁の強度がでるので好ましいが、適当に間隔をあけて帯状枠体２に取り付けても本発明部材の本質を欠くことにはならない。
また複数の枠支柱体１を帯状枠体２に固定するに際して、図５に示すように枠支柱体１に軸と直角方向の孔を明けてそれにワイヤー等の枠連結紐体７を貫通させ数珠状に連結しておくと、帯状枠体２に枠支柱体１を個々に固定しただけのときよりも強度が向上して、任意形状の花壇のフェンスやプランターの側壁を形成するときに形状が安定する。
枠支柱体１を枠連結紐体７で繋結する手段としては、上記した６図に示した方法以外にＵ字型の鋲で枠連結紐体７を枠支柱体１に留める方法、枠支柱体１同士を蝶番で留める方法、枠支柱体１にオス型、メス型を設け繋結する方法などでもよい。
防水・防根シート３は、図２、図３に示す１単位部材のプランター部材では半円状の防水・防根シート３を帯状枠体２に取付けているが、形状は半円に限られるものではない。
すなわち該プランター部材で菜園や花壇やプランターを形成したときに底となる部分の防水・防根シート３が重なり合って隙間のできない大きさが確保できていればよい。
そして必要であれば防水・防根シート３が重なり合ってできた継目線を防水テープでシールしてやることにより、菜園や花壇やプランターの底からの水漏れを完全に防止できるばかりか、菜園や花壇やプランターそれ自身の強度を向上させることもできる。
また、防水・防根シート材としては樹脂製で折りたたみ容易な厚みと柔軟性を有していて、腐食し、簡単に破れて土や肥料、水などが多量に外部へ流出しないものが適している。
例えば、ポリエステル、ポリプロピレン、ナイロン、ゴムのような樹脂製のシートや、アスファルトフェルト製のシートなどでもよい。
【０００９】
図６は本発明にかかる簡易園芸用プランター部材の形態を示し、複数の枠支柱体１と帯状枠体２で本発明のプランター側壁部を構成し、その内側表面に帯状枠体２がくるように配している。
該プランターの底部には防水・防根シート３を敷詰めた状態に配している。
防水・防根シート３は、プランター容器内の底部形状に合わせて適宜折り畳んで部分的に重ねて底部として用いる。
本発明は、図６に示したように簡易園芸用プランター部材を適当な形状に形成して、菜園や花壇やプランターの容器にすることができるので土・肥料６をその内部に入れるだけで容易に菜園や花壇や園芸用プランターが完成する。
なお、本発明部材による花壇や園芸用プランターには、水はけを良くするために枠支柱体１の下部に任意に排水孔を設けることも可能である。
また、店舗の室内や、ビルの屋上、マンションのベランダには、椰子ガラの繊維や、粒度の比較的大きな軽量の土を採用すれば、建物など設置場所への負荷も少なくてすむばかりか、土の流出が少ないから、清潔で、菜園や花壇や園芸用プランターの維持管理を容易にすることができる。
【００１０】
図７は、本発明の別の形態で、図１に示したような簡易園芸用プランターの組み立て前の１単位部材を４個組合せて作った正方形おプランターである。
この発明において、防水・防根シー３は部分的に重なり合って底部を構成している。
図８は、本発明を丸型に形成した簡易園芸用プランターである。
図９は、本発明を楕円形に形成した簡易園芸用プランターである。
図１０は、本発明を不定形に湾曲させて形成した簡易園芸用プランターである。
以上のように本発明によれば、簡単に形状や大きさのさまざまな菜園や花壇やプランターを形成できる。
【００１１】
【発明の効果】
本発明の簡易園芸用プランター部材を用いれば、さまざまの広さで、限定された形状区画の庭や軒先、舗装面、店舗室内の空きスペース、ビルの屋上、マンションのベランダなどに合せて簡単に好みの菜園や花壇や園芸用プランターを設けることができる。
したがつて、本発明によれば、ビルの屋上緑化などを簡単に実現できるので炭酸ガスの削減にも少なからず貢献できる。
【図面の簡単な説明】
【図１】本発明にかかる簡易園芸用プランター部材を示す正面図
【図２】本発明にかかる簡易園芸用プランター部材を示す平面図
【図３】本発明にかかる簡易園芸用プランター部材を示す右側面図
【図４】本発明にかかる簡易園芸用プランター部材を示す背面図
【図５】本発明にかかる枠支柱体１の連結方法を示す縦断面図
【図６】本発明部材で組立てた簡易園芸用プランター
【図７】本発明を正方形に形成した簡易組園芸用プランター
【図８】本発明を円形に形成した簡易組立式園芸用プランター
【図９】本発明を楕円形に形成した簡易組立式園芸用プランター
【図１０】本発明を不定形に湾曲させて形成した簡易組立式園芸用プランター
【符号の説明】
１…枠支柱体，２…帯状枠体，３…防水・防根シート，４…契合部材，５…耳部，６…土・肥料，７…枠連結紐体
【図１】
2004344159.tif 000003
【図２】
2004344159.tif 000004
【図３】
2004344159.tif 000005
【図４】
2004344159.tif 000006
【図５】
2004344159.tif 000007
【図６】
2004344159.tif 000008
【図７】
2004344159.tif 000009
【図８】
2004344159.tif 000010
【図９】
2004344159.tif 000011
【図１０】
2004344159.tif 000012